(57)【要約】【課題】入出力接栓を備えた電子機器を天井等に取付ける際、ボルト取付穴やネジ穴を設ける必要がなく、接栓通し穴を利用して簡単に取付けることができ、短時間で設置工事を完了することができる電子機器の取付構造を提供する。【解決手段】電子機器３１に装着する入出力接栓３３は、外導体３５の長さを取付構造物例えば天井４０の厚さより十分に長く形成する。電子機器３１を天井４０に取付ける場合、天井４０の接栓取付位置に機器取付穴を兼ねた接栓通し穴４１を設け、この接栓通し穴４１内に電子機器３１の入出力接栓３３を下側から挿入し、その上部を接栓通し穴４１より上方に突出させる。この上方に突出させた入出力接栓３３のネジ部３６にワッシャ４２を介してナット３７を取付け、締付けて固定する。【選択図】図１
2009253840.tif 000002
【特許請求の範囲】
【請求項１】
取付構造物に取付けて使用される電子機器と、前記電子機器の外側面に装着され、外導体の外周に雄ネジ部が形成された入出力接栓と、前記取付構造物に設けられた接栓通し穴内に前記入出力接栓を挿入し、該接栓通し穴より外部に突出した外導体の雄ネジ部に前記接栓通し穴より径の大きいワッシャを介在してナットを螺着し、前記入出力接栓を前記取付構造物に固定する手段とを具備することを特徴とする電子機器の取付構造。
【請求項２】
取付構造物に取付けて使用される電子機器と、前記電子機器の外側面に装着され、外導体の外周に雄ネジ部が形成された入出力接栓と、前記取付構造物に設けられた接栓通し穴の内側に雌ネジ部を形成し、該雌ネジ部に前記入出力接栓の外導体に形成された雄ネジ部を螺着して固定する手段とを具備することを特徴とする電子機器の取付構造。
【発明の詳細な説明】
【技術分野】
【０００１】
本発明は、無線通信やテレビ放送分野等において、ビル内あるいは地下街等の天井や壁面等に取付けて使用する入出力接栓を有する電子機器の取付構造に関する。
【背景技術】
【０００２】
無線通信あるいは地上デジタル放送の中継装置等においては、ビル内あるいは地下街等の天井や壁面にアンテナ等の入出力接栓を有する電子機器を取付けて使用している（例えば、特許文献１参照。）。
【０００３】
上記入出力接栓を有する電子機器を天井や壁面等に取付ける場合、従来では図６や図７に示すようにして取付けている。
【０００４】
図６に示す例では、電子機器１１における入出力接栓１２の装着面に予め複数本の取付ボルト１４を取付けておき、天井１３に設けた接栓通し穴１５及びボルト取付穴１６に入出力接栓１２、取付ボルト１４をそれぞれ挿入し、天井１３の裏面側に突出させた取付ボルト１４の先端にワッシャ１７を介してナット１８を螺着して固定している。
【０００５】
また、図７に示す例では、電子機器１１における入出力接栓１２の装着面に、予め機器ケースより大きい取付板２０を取付けておき、機器ケースの外側において、天井１３に設けたネジ穴２１に上記取付板２０及びワッシャ２２を介して取付ボルト２３を締付けて固定している。
【０００６】
上記図６及び図７に示した従来の機器取付方法では、天井１３に入出力接栓１２を通すための接栓通し穴１５の他、取付ボルト１４を取付けるためのボルト取付穴１６あるいは取付ボルト２３を取付けるためのネジ穴２１を設ける必要がある。また、取付ボルト１４、２３の取付けに際しては、その取付け位置を測定して対応する天井１３の位置にボルト取付穴１６やネジ穴２１をあけなければならず、設置工事に時間が掛かりコスト高になるという問題があった。更に、天井１３には数多くの穴をあける必要があるため、設置場所の管理者やオーナーから取付許可が得にくいなどの問題があった。
【０００７】
なお、上記図６及び図７では、電子機器１１を天井１３に取付けた場合について示したが、壁面に取付ける場合も同様である。
【０００８】
また、従来における電子機器１１では、入出力導波管を備えたものも使用されているが、この入出力導波管を備えた電子機器においても、上記図６あるいは図７に示した方法により天井１３等に取付けられるので、入出力接栓１２を備えた電子機器１１と同様の問題がある。
【特許文献１】特開平９−９３０１１号公報
【発明の開示】
【発明が解決しようとする課題】
【０００９】
上記のように従来の電子機器の取付方法では、天井１３や壁面に入出力接栓１２を通すための接栓通し穴１５の他、取付ボルト１４、２３を取付けるためのボルト取付穴１６やネジ穴２１を複数設ける必要があるので、設置工事に時間が掛かりコスト高になると共に、天井や壁面等に数多くの穴をあける必要があるため設置場所の管理者やオーナーから取付許可が得にくいなどの問題があった。
【００１０】
本発明は上記の課題を解決するためになされたもので、入出力接栓を備えた電子機器を天井や壁面等に取付ける際、ボルト取付穴やネジ穴を設ける必要がなく、接栓通し穴を利用して電子機器を天井や壁面等に簡単に取付けることができ、短時間で設置工事を完了することができる電子機器の取付構造を提供することを目的とする。
【課題を解決するための手段】
【００１１】
第１の発明に係る電子機器の取付構造は、取付構造物に取付けて使用される電子機器と、前記電子機器の外側面に装着され、外導体の外周に雄ネジ部が形成された入出力接栓と、前記取付構造物に設けられた接栓通し穴内に前記入出力接栓を挿入し、該接栓通し穴より外部に突出した外導体の雄ネジ部に前記接栓通し穴より径の大きいワッシャを介在してナットを螺着し、前記入出力接栓を前記取付構造物に固定する手段とを具備することを特徴とする。
【００１２】
第２の発明に係る電子機器の取付構造は、取付構造物に取付けて使用される電子機器と、前記電子機器の外側面に装着され、外導体の外周に雄ネジ部が形成された入出力接栓と、前記取付構造物に設けられた接栓通し穴の内側に雌ネジ部を形成し、該雌ネジ部に前記入出力接栓の外導体に形成された雄ネジ部を螺着して固定する手段とを具備することを特徴とする。
【発明の効果】
【００１３】
本発明によれば、入出力接栓を機器の取付構造と兼ねることができ、最低限必要な接栓通し穴を利用してアンテナ等の電子機器を天井等の取付構造物に容易に取付けることができる。この結果、取付ネジの位置関係を測定して取付構造物に多数の穴加工する必要を無くし、簡易に工事ができ、工事期間を短縮し得ると共に工事コストを低減することができる。また、取付構造物には入出力接栓を挿入するための接栓通し穴を設けるだけで良く、その他の取付穴を設ける必要がないので、設置場所の管理者やオーナーから取付許可が得やすくなるという利点がある。
【発明を実施するための最良の形態】
【００１４】
以下、図面を参照して本発明の実施形態を説明する。
【００１５】
（第１実施形態）
図１は本発明の第１実施形態に係る電子機器の取付構造を示す側断面図である。
【００１６】
図１において、３１は例えばデジタル放送用送受信アンテナ等の電子機器で、機器ケース３２の上面中央部に入出力接栓３３が例えばネジ３４により取付けられている。上記入出力接栓３３は、外導体３５の外周にネジ部（雄ネジ）３６が形成され、このネジ部３６にナット３７が着脱可能に設けられる。また、上記入出力接栓３３は、外導体３５の長さＬが取付構造物例えば天井４０の厚さｄより十分に長く形成される。
【００１７】
上記電子機器３１を天井４０に取付ける場合には、天井４０の接栓取付位置に機器取付穴を兼ねた接栓通し穴４１を設け、この接栓通し穴４１内に電子機器３１の入出力接栓３３を下側から挿入し、その上部を接栓通し穴４１より上方に突出させる。なお、接栓通し穴４１内に入出力接栓３３を挿入する際は、予め入出力接栓３３からナット３７を外しておく。
【００１８】
そして、上記接栓通し穴４１の上方に突出させた入出力接栓３３のネジ部３６にワッシャ４２を介してナット３７を取付け、締付けて固定する。この場合、ワッシャ４２は、接栓通し穴４１よりも十分に大きく形成する。上記電子機器３１の入出力接栓３３は、図示しないが同軸ケーブルを介して送受信装置等に接続される。
【００１９】
上記第１実施形態によれば、入出力接栓３３を機器の取付構造と兼ねることができ、最低限必要な接栓通し穴４１を利用してアンテナ等の電子機器３１を天井４０に容易に取付けることができる。この結果、取付ネジの位置関係を測定して天井４０に多数の穴加工する必要を無くし、簡易に工事ができ、工事期間を短縮し得ると共に工事コストを低減することができる。また、天井４０には、入出力接栓３３を挿入するための接栓通し穴４１を設けるだけで良く、その他の取付穴を設ける必要がないので、設置場所の管理者やオーナーから取付許可が得やすくなるという利点がある。
【００２０】
（第２実施形態）
次に本発明の第２実施形態について説明する。
【００２１】
図２は、本発明の第２実施形態に係る電子機器の取付構造を示す側断面図である。
【００２２】
第１実施形態では、電子機器３１を天井４０に取付ける際、入出力接栓３３を天井４０の接栓通し穴４１内に挿入し、入出力接栓３３の外導体３５に形成したネジ部３６にワッシャ４２を介してナット３７を螺着し、締付けて固定する場合について示したが、この第２実施形態では、天井４０に設けられる接栓通し穴４１の径を入出力接栓３３の外導体３５の径に合わせて形成すると共に、その内側に雌ネジを形成してネジ穴４４とし、このネジ穴４４に入出力接栓３３のネジ部３６を螺着して固定するようにしたものである。その他の構成は、第１実施形態と同じであるので、同一部分には同一符号を付して詳細な説明は省略する。
【００２３】
この第２実施形態では、天井４０に設けたネジ穴４４に入出力接栓３３を螺着する際、図２に矢印ａで示すようにネジ穴４４内に入出力接栓３３の外導体３５を挿入し、入出力接栓３３と共に電子機器３１を回転させてネジ穴４４に外導体３５に形成したネジ部３６を螺着する。
【００２４】
上記第２実施形態によれば、第１実施形態と同様に入出力接栓３３を機器の取付構造と兼ねることができ、入出力接栓３３の通し穴を兼ねるネジ穴４４を利用して電子機器３１を天井４０に容易に取付けることができる。この結果、天井４０に多数のネジ穴を設ける必要が無く、簡易に工事ができ、工事期間を短縮して工事コストを低減することができる。
【００２５】
（第３実施形態）
次に本発明の第３実施形態について説明する。
【００２６】
図３は、本発明の第３実施形態に係る電子機器の取付構造を示す側断面図である。
【００２７】
この第３実施形態は、入出力導波管４６を備えた電子機器３１に実施した場合を例として示している。
【００２８】
上記入出力導波管４６は、例えば矩形状に形成された矩形導波管で、機器ケース３２の上面中央部に固定して設けられる。上記入出力導波管４６は、取付構造物である天井４０の厚さｄより十分に長く形成される。
【００２９】
一方、電子機器３１を取付ける天井４０には、機器取付穴を兼ねた矩形状の導波管通し穴４７が設けられる。電子機器３１は、上記導波管通し穴４７内に入出力導波管４６が下側から挿入され、上方に突出した部分に例えば円板状のワッシャ４８を介在させて締付金具５１が取付けられる。
【００３０】
上記ワッシャ４８は、図４に示すように上記導波管通し穴４７より十分に大きい直径を有し、中央部に入出力導波管４６を挿通させるための矩形の穴４９が設けられている。
【００３１】
また、上記締付金具５１は、図５に示すように略方形状に形成された２つの締付部材５２ａ、５２ｂからなり、この締付部材５２ａ、５２ｂにより入出力導波管４６を挟んで固定するようになっている。上記締付部材５２ａ、５２ｂは、相対向する側の側方に所定長さの突部５３ａ、５３ｂ、５４ａ、５４ｂが設けられると共に、中央部に入出力導波管４６を挟み込むための凹部５５ａ、５５ｂが設けられる。また、上記突部５３ａ、５３ｂ、５４ａ、５４ｂには、ボルト穴（図示せず）が設けられ、突部５３ａ、５４ａ間及び突部５３ｂ、５４ｂ間に締付金具取付ボルト５６ａ、５６ｂとナット５７ａ、５７ｂが装着される。
【００３２】
更に締付部材５２ａ、５２ｂには、凹部５５ａ、５５ｂと反対側の側部近傍にボルト穴５８ａ、５８ｂが設けられ、このボルト穴５８ａ、５８ｂに図３に示すように締付ボルト５９ａ、５９ｂが上側から螺着される。この場合、締付ボルト５９ａ、５９ｂには、締付部材５２ａ、５２ｂの上側に位置するように位置固定用のナット６０ａ、６０ｂが装着される。
【００３３】
上記電子機器３１を天井４０に取付ける場合、天井４０に設けた導波管通し穴４７に入出力導波管４６を下側から挿入し、その上部を導波管通し穴４７から上方に突出させる。そして、上記導波管通し穴４７から上方に突出させた入出力導波管４６に例えば円板状のワッシャ４８を介在させて締付金具５１を取付ける。すなわち、締付金具５１は、締付部材５２ａ、５２ｂに設けた凹部５５ａ、５５ｂで入出力導波管４６を挟み、突部５３ａ、５４ａ間及び突部５３ｂ、５４ｂ間を締付金具取付ボルト５６ａ、５６ｂとナット５７ａ、５７ｂにより締付けて固定する。
【００３４】
その後、締付部材５２ａ、５２ｂのボルト穴５８ａ、５８ｂに螺着した締付ボルト５９ａ、５９ｂを締付け、その先端をワッシャ４８の上面に当接させることにより機器ケース３２の上面を天井４０の下側面に圧接させて固定する。更に、ナット６０ａ、６０ｂを締付けて締付ボルト５９ａ、５９ｂの位置を固定する。
【００３５】
上記第３実施形態で示したように電子機器３１が入出力導波管４６を備えている場合であっても、入出力導波管４６を機器の取付構造と兼ねることができ、入出力導波管４６の挿入穴を兼ねる導波管通し穴４７を利用して電子機器３１を天井４０に容易に取付けることができる。従って、天井４０に多数のネジ穴を設ける必要が無く、簡易に工事ができ、工事期間を短縮して工事コストを低減することができる。
【００３６】
なお、上記第３実施形態では、入出力導波管４６として矩形導波管を用いた場合について示したが、その他、例えば円形導波管等を用いた場合についても同様にして実施し得るものである。
【００３７】
また、上記各実施形態では、天井４０に電子機器３１を装着した場合を例として示したが、その他、例えば壁面等の取付構造物であっても、天井４０の場合と同様にして電子機器３１を装着することが可能である。
【００３８】
また、本発明は、上記実施形態そのままに限定されるものではなく、実施段階ではその要旨を逸脱しない範囲で構成要素を変形して具体化できるものである。
【図面の簡単な説明】
【００３９】
【図１】本発明の第１実施形態に係る電子機器の取付構造を示す側断面図である。
【図２】本発明の第２実施形態に係る電子機器の取付構造を示す側断面図である。
【図３】本発明の第３実施形態に係る電子機器の取付構造を示す側断面図である。
【図４】同実施形態におけるワッシャの構成を示す上面図である。
【図５】同実施形態における締付金具の構成を示す上面図である。
【図６】従来における電子機器の取付構造を示す側断面図である。
【図７】従来における他の電子機器の取付構造を示す側断面図である。
【符号の説明】
【００４０】
３１…電子機器、３２…機器ケース、３３…入出力接栓、３４…ネジ、３５…入出力接栓の外導体、３６…ネジ部、３７…ナット、４０…天井、４１…接栓通し穴、４２…ワッシャ、４４…ネジ穴、４６…入出力導波管、４７…導波管通し穴、４８…ワッシャ、４９…ワッシャに設けられた穴、５１…締付金具、５２ａ、５２ｂ…締付部材、５３ａ、５３ｂ、５４ａ、５４ｂ…突部、５５ａ、５５ｂ…凹部、５６ａ、５６ｂ…締付金具取付ボルト、５７ａ、５７ｂ…ナット、５８ａ、５８ｂ…ボルト穴、５９ａ、５９ｂ…締付ボルト、６０ａ、６０ｂ…ナット。
【図１】
2009253840.tif 000003
【図２】
2009253840.tif 000004
【図３】
2009253840.tif 000005
【図４】
2009253840.tif 000006
【図５】
2009253840.tif 000007
【図６】
2009253840.tif 000008
【図７】
2009253840.tif 000009